(57)【特許請求の範囲】
【請求項１】
第１の電動送風機と集塵室とを有する掃除機本体と、一端が該掃除機本体に接続され前記集塵室と連通するホース体と、一端が該ホース体の他端に接続されたハンドル部と、一端が該ハンドル部の他端に接続された延長管と、該延長管の他端に接続され、被掃除面に対面する開口部を有する吸口体とを備え、前記吸口体と前記集塵室が前記延長管と前記ハンドル部と前記ホース体で形成される空気通路で接続された電気掃除機において、
前記吸口体には、第２の電動送風機と該第２の電動送風機で発生する吸引力により塵埃を集塵する集塵室とを有し、前記吸口体の集塵室は前記開口部と前記空気通路との間に配置され、
前記ハンドル部と前記ホース体とが切り離されたときは、前記第２の電動送風機を運転して吸引した塵埃を前記吸口体の集塵室に集塵し、
前記ハンドル部と前記ホース体とが接続され前記第１の電動送風機を運転したときは、前記開口部から吸引された塵埃が前記吸口体の集塵室を通過し前記空気通路を通って前記掃除機本体の集塵室に集塵されると共に、前記吸口体の集塵室に集塵されていた塵埃を前記空気通路を通って前記掃除機本体の集塵室に移送することを特徴とする電気掃除機。
【請求項２】
請求項１において、
前記吸口体の集塵室の下流側に、前記第１の電動送風機を駆動しているときに開く弁を設けたことを特徴とする電気掃除機。
【請求項３】
請求項１において、
前記吸口体の集塵室と前記第２の電動送風機の間にフィルタを備え、該フィルタは山折り状に構成されていることを特徴とする電気掃除機。
【請求項４】
請求項３において、
前記吸口体の集塵室には、塵挨が流入する入口開口部と、塵挨が流出する出口開口部とを設け、
前記フィルタは、該フィルタの山折りの折れ線方向が前記入口開口部と前記出口開口部とを結ぶ流路方向と同方向になるように配設されたことを特徴とする電気掃除機。
【請求項５】
請求項４において、
前記フィルタの山折りの折れ線方向は、前記入口開口部の中心と前記出口開口部の中心とを結ぶ中心線に対し、±４５°の範囲に設定したことを特徴とする電気掃除機。
【発明の詳細な説明】
【０００１】
【技術分野】
【０００２】
本発明は、電動送風機で発生した空気の流れを利用して集塵部に塵挨を集めて掃除を行なう電気掃除機に関する。
【背景技術】
【０００３】
従来、スティック形と呼ばれる電気掃除機として、例えば、特開２０００−１４６０５号公報に記載された構成のものが知られている。すなわち、この従来技術になる電気掃除機は、回転ブラシを内蔵したブラシ室を前部に有する吸口体部と、そして、回転ブラシを駆動させるためのモータシャフトを有するファンモータを内蔵し、かつ、その上部吸引側には集塵室を形成してなる掃除機本体とから構成されている。
【０００４】
また、例えば、特開平９−１９２０５６号公報、特開平９−１９２０６９号公報、特開平９−１９２０６２号公報には、車輪を備えた床上走行ヘッドと、このヘッドに回動自在に連結された細長いハンドルとを有しており、当該ヘッドは２つのモータを有し、モータの一方は羽根車に、その他方は回転ブラシに連結されており、かつ、当該ヘッドはこれらモータに電気を供給するための再充電可能なバッテリーと、３位置電気スイッチとを有しており、即ち、空気ろ過器やほこりごみ収集カップ等を含む真空掃除機の作業要素の全てが上記床上走行ヘッドの中に設けられ、ハンドルは作業要素を全く有していない電気掃除機が提案されている。
【０００５】
さらに、例えば、特公平７−５３１４２号公報には、集塵室と電動送風機を有する掃除機本体と、この掃除機本体にホース及び延長管を介して接続される吸口体とを有する電気掃除機であって、吸口体側にも集塵室と電動送風機を設けた電気掃除機が提案されている。そして、この電気掃除機では、掃除機本体と吸口体とを接続して使用する、所謂、床移動タイプの掃除機としての他に、接続されている吸口体を掃除機本体から外し、吸口体側の電動送風機を駆動して吸口体側の集塵室に集塵する、所謂、スティックタイプの掃除機としても使用可能となっている。
【０００６】
しかしながら、上述した特開２０００−１４６０５号公報、特開平９−１９２０５６号公報、特開平９−１９２０５９号公報、特開平９−１９２０６２号公報等に記載された電気掃除機においては、吸込み仕事率、塵挨の収容能力及び使用時間等の掃除能力と、掃除機の操作性とを、その状況に応じて使い分けることについての配慮が必ずしも十分ではなかった。また、このような小型の電気掃除機は、掃除機全体を小型に構成しなければならないことから、集塵室を小型化する必要があり、そのため、集塵フィルタの面積も小さくなる。従って、集塵フィルタが塵挨による目詰まりを起こし易いという欠点があった。
【０００７】
さらに、特に上記特公平７−５３１４２号公報に記載のものでは、床移動タイプの掃除機と、スティックタイプの掃除機という、二通りの使用形態を提供するものではあるが、しかしながら、スティックタイプの掃除機として使用したときに集塵した吸口体内の集塵室のゴミは、常に、集塵室を覆う蓋等を開閉して捨てなければならず、煩わしいといった問題があった。特に、最近の電気掃除機の吸口体は、その操作性を向上させるために小型軽量化が進んでおり、吸口体内の集塵室を大きくすることが出来ず、そのため、集塵室が塵挨で直ぐに満杯となり、ゴミ捨ての回数が多く（頻繁）なるという欠点があった。また、先の従来技術と同様、集塵フィルタが塵挨による目詰まりを起こし易いといった欠点もあった。
【発明の開示】
【０００８】
本発明の目的は、上述した従来技術における問題点に鑑み、すなわち、小型の電気掃除機において、集塵室を小型に構成し、しかも、集塵室内に塵挨を効果的に蓄積させて集塵フィルタの塵挨による目詰まりを防ぐことにより、使い勝手のよい小型の掃除機を提供することにある。
【０００９】
本発明によれば、上記の目的は、電動送風機と集塵部とを有する掃除機本体と、被掃除面に対面する開口部を有して前記集塵部に連通する吸口体と、前記吸口体を操作するハンドル部と、該ハンドル部と前記掃除機本体を接続するホース体を備え、前記ハンドル部よりも前記吸口体側にも電動送風機および集塵部を配置し、前記ハンドル部と前記ホース体を切り離したとき、前記吸口体側の集塵部にゴミを集塵し、前記ハンドル部と前記ホース体が接続され、前記掃除機本体の電動送風機が起動したとき、前記吸口体側の集塵部内のゴミを、前記掃除機本体の集塵部内に移送することにより達成される。
【００１０】
また、上記目的は、被掃除面に対面する開口部を有する吸口体と、該吸口体内に配設された電動送風機と集塵室とを有し、前記集塵室と前記電動送風機の間にフィルタを備えた電気掃除機において、前記フィルタを山折り状にすることにより達成される。
【発明を実施するための最良の形態】
【００１１】
（第１の実施形態）
以下、本発明の第１の実施形態を、添付の図面に従い、詳細に説明する。
【００１２】
第１図に、本発明の第１の実施形態になる電気掃除機の外観図を示す。図１において、符号１０１は掃除機本体であり、内部に集塵室１１１と電動送風機１１２と図示しない電源コードを巻き取るコードリールが内蔵されている。掃除機本体１０１には集塵室１１１と連通するようにホース１０２の一端が接続されている。１０３は手元操作部であり、一端がホース１０２の他端と接続されている。手元操作部１０３には掃除機の運転を切り替える手元スイッチ１０４が設けられている。１０８は無線信号発信部であり、手元スイッチ１０４の操作に応じて運転信号を掃除機本体１０１の無線信号受信部１０９（第１の無線信号受信部）に送信する。１０５は延長管であり、一端が手元操作部１０３の他端と接続されている。この延長管１０５は複数本（本実施の形態では２本）接続された状態で構成されており、被掃除面側の延長管には充電可能な二次電池を着脱自在に設けている。１０６は吸口体であり、延長管１０５の他端と接続されている。１０６ａは吸口体１０１の吸口開口の上部を覆う吸口カバーである。１１０は吸口体１０６に設けた無線信号受信部（第２の無線信号受信部）であり、手元スイッチ１０４の操作に応じて無線信号発信部１０８から送信された信号を受信する。
【００１３】
第２図に、上記本発明の第１の実施形態例による吸口体１０６の上ケースおよび吸口カバーを取り除いた状態の上面図を示す。図２において、２０１は回転清掃体、２０２は回転清掃体２０１を駆動するための電動機、２０３は回路基板、２０４は駆動ベルト、２０５は送風機を駆動する電動機、２０６は送風機、２０７は吸口体１０６から脱着可能な集塵室、２０８はフィルタ、２０９は逆止弁である。
【００１４】
本実施形態では、掃除機本体１０１と吸口体１０６とを備えた電気掃除機において、以下のように構成されている。即ち、掃除機本体１０１側には、第１の電動送風機１１２と集塵室１１１とを設ける。吸口体１０６側には、第２の電動送風機（電動機２０５、送風機２０６）および集塵室２０７を設ける。そして吸口体１０６を掃除機本体１０１から切り離して独立して使用できるようにする。また、吸口体１０６を掃除機本体１０１に接続して使用する場合は、吸口体１０１側の集塵室２０７と掃除機本体側の集塵室１１１とが塵挨の搬送が可能な空気通路（延長管１０５、ホース体１０２）で接続されるようにし、掃除機本体１０１側に設けた電動送風機１１２で吸口体１０６側の集塵室２０７から掃除機本体１０１側の集塵室１１１へ塵挨を搬送できるように構成している。
【００１５】
第３図は、上記本発明の第１の実施形態例になる掃除機の、コードレス時の使用形態を示す。吸口体１０６側において、吸口本体１０６ａに延長管１０５だけを接続して（備えて）構成し、即ち、この吸口体１０６を掃除機本体側１０１とホース体１０２で接続せずに、吸口体１０６に接続した延長管１０５をホース体１０２（第１図を参照）から切り離して使用できるようにしている。また、吸口体１０６側と掃除機本体１０１側とを接続する空気通路の途中には、吸口体１０６を操作するハンドルグリップ１０３が設けられているが（第１図を参照）、このコードレス時の使用形態では、吸口体１０６側がこのハンドルグリップ１０３を含んで、掃除機本体１０１側から切り離されるようにしている。尚、本実施形態では、吸口体１０６側と掃除機本体１０１側とを接続する空気通路は、延長管１０５とホース体１０２とで構成されており、ハンドルグリップ１０３は延長管１０５側に設けられている（第１図を参照）。また、本実施形態では、ハンドルグリップ１０３は延長管１０５と別体に構成され、延長管１０５から自由に切り離したり接続したりでき、かつ、これら延長管１０５とホース体１０２とを接続するための空気通路をその内部に有している。また、２０７は、吸口体１０６に着脱可能に取り付けられた集塵室である。
【００１６】
第４図には、上記本発明の第１の実施形態例になる掃除機の収納時の形態を示す。第４図において、４０１は充電池１０７に充電するための充電台である。
【００１７】
第５図には、掃除機本体の制御回路のブロック図を示す。５０１は本体制御回路を制御するマイクロプロセッシングユニット（以下、単に「マイコン」と略す）、５０２は赤外線フォトダイオード、５０３は赤外線フォトダイオード５０２が受光した信号をデジタルコードに変換する受信ユニット、５０４は吸込力を発生せしめる電動送風機、５０５は電動送風機５０４の駆動回路、５０６はＤＣ電源回路、５０７はＡＣ電源である。
【００１８】
第６図には、ハンドル部制御回路のブロック図を示す。６０１はハンドル部の制御回路を制御するマイコン、６０２は電池、６０３はスイッチ、６０４は赤外線発光ダイオード、６０５は赤外線発光ダイオード６０４を駆動するトランジスタ、６０６はホース１０２がハンドル部１０３に接続されている時に接点が接続されるスイッチである。
【００１９】
第７図には、吸口体制御回路のブロック図を示す。７０１は吸口体の制御回路を制御するマイコン、７０２は赤外線フォトダイオード、７０３は赤外線フォトダイオード７０２が受光した信号をデジタルコードに変換する受信ユニット、７０４は吸込力を発生せしめる電動送風機、７０５は回転清掃体を駆動する電動機、７０６は電動送風機７０４の駆動回路、７０７は電動機７０５の駆動回路、７０８は電池である。
【００２０】
次に、以上にその構成を詳細に説明した本発明の第１の実施形態の動作を説明する。
【００２１】
（１）コードレス掃除機時
掃除機の使用者が、第１の実施形態の掃除機をコードレス掃除機として使用する場合は、第３図に示すように、ホース１０２をハンドル部から外して使用する。このとき、掃除機の使用者がハンドル部付近のスイッチ１０４（第６図６０３）を押下すると、マイコン６０１がこれを検出する。さらに、スイッチ６０６により、ホースが接続されていない事を検出し、押下されたスイッチに従った信号コードを生成する。次に、赤外線発光ダイオード６０４を発光させ、前記信号コードを赤外線信号として放射する。赤外線発光ダイオードは、通常の使用状態では略鉛直上方を向いているため、上方に放射された赤外線は部屋の天井に当たって反射し、吸口体１０６の赤外線フォトダイオード１１０（第７図７０２）に到達する。ここで、受信ユニット７０３によりデジタルコードに変換され、マイコン７０１に入力される。マイコン７０１は、この信号コードに従って駆動回路７０６および駆動回路７０７を制御して、電動送風機７０４（第２図２０５、２０６）および電動機７０５（第２図２０２）を運転する。
【００２２】
回転清掃体２０１によって掻き上げられたゴミは、送風機２０６の発生する吸引力により、集塵室２０７内に吸引され、フィルタ２０８により分離され、集塵室２０７内に溜まる。そして清浄な空気は、電動機２０５を冷却したのち、吸口体の外に排気される（第２図の矢印２１０）。この時、集塵室２０７は負圧になるので、逆止弁２０９は閉じる。尚、逆止弁２０９には、電動逆風機７０４（第２図２０５、２０６）を停止したときに開くことがないように、閉じる方向の付勢力を与えておくと良い。この付勢力は、ばね等の弾性部材を設けることによって実現しても良いし、又は、逆止弁２０９自体を変形可能な弾性部材で構成することによって実現しても良い。
【００２３】
このようにして集塵されたゴミは、第３図に示すように、集塵室２０７を吸口体１０６から取り外すことにより、簡単にごみ箱等へ捨てることができる。また、この集塵室２０７は、例えば、透明樹脂で構成することによれば、外からゴミの溜り具合が容易に確認できる。また、充電池１０７は、延長管１０５に対して脱着可能に構成されており、これにより充電池の交換が容易に行える。
【００２４】
また、上記第４図に示すように、収納時のスタンド４０１は充電台を兼用しているので、収納時に自動的に充電池１０７の再充電が行える。
【００２５】
（２）ＡＣ掃除機時
掃除機の使用者が、上記第１の実施形態の掃除機をＡＣ掃除機として使用する場合は、第１図に示すように、ホース１０２をハンドル部に接続して使用する。このとき、掃除機の使用者がハンドル部付近のスイッチ１０４（第６図６０３）を押下すると、マイコン６０１がこれを検出する。さらに、スイッチ６０６（第６図を参照）により、ホースが接続されている事を検出し、押下されたスイッチに従った信号コードを生成する。次に、赤外線発光ダイオード６０４を発光させ、前記信号コードを赤外線信号として放射する。赤外線発光ダイオードは、通常の使用状態では略鉛直上方を向いているため、上方に放射された赤外線は部屋の天井に当たって反射し、吸口体１０６の赤外線フォトダイオード１１０（７０２）に到達する。ここで受信ユニット７０３によりデジタルコードに変換され、マイコン７０１に入力される。マイコン７０１は、この信号コードに従って駆動回路７０７のみを制御して、電動機７０５（第２図２０２）を運転する。
【００２６】
さらに、放射された赤外線は、部屋の天井に当たって反射し、掃除機本体１０１の赤外線フォトダイオード１０９（第５図５０２）に到達する。ここで受信ユニット５０３によりデジタルコードに変換され、マイコン５０１に入力される。マイコン５０１はこの信号コードに従って駆動回路５０５を制御して、電動送風機５０４を運転する。
【００２７】
電動送風機５０４の発生する吸引力は、ホース１０２、延長管１０５を通って、集塵室２０７に到達し、回転清掃体２０１によって掻き上げられたゴミを、掃除機本体の集塵部に吸引する（第２図の矢印２１１）。このとき、逆止弁２０９が電動送風機５０４の発生する吸引力によって開かれ、コードレス掃除時に、集塵室２０７に溜まっていたゴミも同時に、掃除機本体の集塵部に吸引される。さらに、送風機２０６から逆流する空気が、フィルタ２０８に付着したゴミを引き剥がし、掃除機本体の集塵部に吸引される。
【００２８】
以上述べたように、本実施形態によれば、ハンドル部から吸口側の部分のみで掃除機能を実現でき、さらに、ホースを装着することによれば、ＡＣ電源で長時間掃除することができ、即ち、使用者の用途に合わせて、２種類の掃除方法を提供でき、使い勝手を向上するという効果がある。
【００２９】
また、コードレス掃除機の集塵室のゴミを、掃除機本体側に吸引することができるので、ゴミ捨ての回数が低減できるという効果もある。
【００３０】
また、光リモコンを使用するため、ホース延長管内に配線が不要であり、もって、掃除機の軽量化が図られ、かつ、コストも低減できるという効果もある。
【００３１】
また、吸口体１０６側を掃除機本体１０１側から切り離したときに、吸口体１０６側の掃除機本体１０１との接続部には、吸口体１０６側の空気通路（ハンドグリップ１０３内に形成された空気通路、又は、延長管１０５内に形成された空気通路）を閉じる蓋体を設けると良い。これによって、吸口体１０６側を掃除機本体１０１から切り離したときに、塵挨が掃除機本体１０１側に搬送できずに延長管１０５内に残った場合にも、この塵挨を延長管１０５内に閉じ込めておくことができる。
【００３２】
（第２の実施形態）
以下、本発明の第２の実施形態を添付の図面を参照し、詳細に説明する。
【００３３】
第８図には、本実施形態による電気掃除機の外観図を示す。第８図において、８０１は電気掃除機本体、８０２はホース体、８０３はハンドルグリップ、８０４は手元スイッチ、８０５は延長管、８０６は吸口体本体、８０７は延長管８０５から脱着可能な集塵室である。電気掃除機本体の外郭を形成する本体ケーシングの内側には、吸引力を発生する電動送風機８０９と、この電動送風機の吸引側に集塵室８０８が設けられる。
【００３４】
第９図には、本発明の第２の実施形態になる掃除機において、上ケースおよび吸口カバーを取り除いた状態の吸口体の上面図を示す。第９図において、９０１は回転清掃体，９０２は回転清掃体９０１を駆動するための電動機、９０３は回路基板、９０４は駆動ベルト、９０５は再充電可能な充電池である。
【００３５】
第１０図には、上記本発明の第２の実施形態になる掃除機の延長管の断面図を示す。この第１０図において、１００１はフィルタ、１００２および１００３は逆止弁、１００４は送風機、１００５は送風機１００４を駆動する電動機である。
【００３６】
第１１図には、掃除機の本体制御回路のブロック図を示す。１１０１は本体制御回路を制御するマイクロプロセッシングユニット（以下、単に「マイコン」と略す）、１１０２は吸込力を発生せしめる電動送風機、１１０３は電動送風機１１０２の駆動回路、１１０４はＤＣ電源回路、１１０５はＡＣ電源、１１０６はホース８０２側の接点である。
【００３７】
第１２図には、吸口体の制御回路のブロック図を示す。１２０１は吸口体の制御回路を制御するマイコン、１２０２は回転清掃体を駆動する電動機、１２０３および１２０４は切替回路、１２０５は電池、１２０６は延長管８０５側の接点である。
【００３８】
第１３図には、ハンドル部の制御回路のブロック図を示す。１３０１はハンドル部の制御回路を榔御するマイコン、１３０２はスイッチ、１３０３は吸込力を発生せしめる電動送風機、１３０４はホース８０２が延長管８０５に接続されている時に接点が接続されるスイッチである。
【００３９】
次に、上記に構成を説明した本発明の第２の実施形態における動作を説明する。
【００４０】
（１）コードレス掃除機時
掃除機の使用者が、第２の実施形態の掃除機をコードレス掃除機として使用する場合は、ホース８０２を延長管８０５から外して使用する。このとき、掃除機の使用者がハンドル部付近のスイッチ８０４（第１３図１３０２）を押下するとマイコン１３０１がこれを検出する。さらに、スイッチ１３０４により、ホースが接続されていない事を検出し、信号線の電圧を押下されたスイッチに従った電圧に制御する。
【００４１】
吸口体制御回路のマイコン７０１は、信号線の電圧変化を検出し、切替回路１２０３および切替回路１２０４を制御して、電動送風機１３０３（第１１図１１０４、１１０５）および電動機１２０２（９０２）を運転する。
【００４２】
回転清掃体９０１によって掻き上げられたゴミは、送風機１１０４の発生する吸引力により、集塵室８０７に吸引され、フィルタ１１０１により分離され、集塵室内に溜まる。そして、清浄な空気は、電動機１１０５を冷却したのち、延長管の外に排気される（第１１図の矢印１１０６）。この時、集塵室８０７は負圧になるので、逆止弁１００３は閉じる。このようにして集塵されたゴミは、第１０図に示すように、集塵室８０７を延長管から取り外すことにより、簡単にごみ箱等へ捨てることができる。また、この集塵室８０７は、例えば透明樹脂で構成することにより、外からゴミの溜り具合が容易に確認できる。
【００４３】
（２）ＡＣ掃除機時
掃除機の使用者が、第２の実施形態の掃除機をＡＣ掃除機として使用する場合は、第８図に示すように、ホース８０２を延長管部に接続して使用する。このとき、掃除機の使用者がハンドル部付近のスイッチ８０４（第１３図１３０２）を押下するとマイコン１３０１がこれを検出する。さらに、スイッチ１３０４により、ホースが接続されている事を検出し、信号線の電圧を押下されたスイッチに従った電圧に制御する。
【００４４】
吸口体の制御回路のマイコン１２０１は、信号線の電圧変化を検出し、切替回路１２０３および切替回路１２０４を制御して、電動機１２０２のみ（第９図９０２）を運転する。
【００４５】
さらに、掃除機本体の制御回路のマイコン１１０１は、信号線の電圧変化を検出し、駆動回路１１０３を制御して、電動送風機１１０２を運転する。この電動送風機１１０２の発生する吸引力は、ホース８０２、延長管８０５を通って、ブラシ室に到達し、回転清掃体９０１によって掻き上げられたゴミを、掃除機本体の集塵部に吸引する。このとき、コードレス掃除時に、集塵室８０７に溜まっていたゴミも、同時に、掃除機本体の集塵部に吸引される。さらに、送風機１００４から逆流する空気が、フィルタ１００１に付着したゴミを引き剥がし、この引き剥がされた塵埃も、掃除機本体の集塵部に吸引される。
【００４６】
以上述べたように本形態例によれば、ハンドル部より吸口側のみで掃除機能を実現でき、さらに、ホースを装着することにより、ＡＣ電源で長時間掃除することができ、使用者の用途に合わせて、２種類の掃除方法を提供でき、使い勝手が向上するという効果がある。
【００４７】
また、コードレス掃除機の集塵室のゴミを、掃除機本体側に吸引できるので、ゴミ捨ての回数が低減できるという効果もある。
【００４８】
また、ＡＣ動作時に、ブラシ駆動用電動機の電源も掃除機本体から給電できるので、充電池の残量によらず、長時間掃除動作ができるという効果もある。
【００４９】
また、コードレス動作時に、吸口体を外して、延長管だけで掃除できるので、例えば、机の上等の掃除ブラシ駆動用電動機の電源も掃除機本体から給電できるので、充電池の残量によらず、長時間掃除動作ができるという効果もある。
【００５０】
上述した各実施形態では、掃除機本体（第１図１０１、第８図８０１）側がＡＣ電源で駆動される構成としているが、ＡＣ電源程の大きなパワーや長時間の使用は実現できないとしても、比較的大きな充電池を搭載できるので、充電池を電源として駆動する構成とすることも可能である。
【００５１】
（第３の実施形態）
次に、第３図及び第１４図を用いて、本発明の第３の実施形態を説明する。第１４図は、本発明の実施形態の一例における吸口体１０６の、上ケースおよび吸口カバー１０６ａを取り除いた状態における上面図である。
【００５２】
スティック型掃除機は、第３図に示すように、大きく分けて吸口体１０６と延長管１０５と、吸口体１０６を操作する手元操作部１０３から構成されている。本実施形態では、手元操作部１０３は、延長管１０５とは別体に構成され、延長管１０５から自由に切り離したり、あるいは、接続したりすることができる。２０７は吸口体１０６から脱着可能な集塵室である。この集塵室は、集塵した塵埃の量が直接目視できるように、透明又は半透明な部材で形成されている。また、集塵室２０７は、その一部分を開閉、又は、取り外し可能とし、もって、集塵した塵埃を除去するようにしても良い。
【００５３】
第１４図において、２０１は回転清掃体、２０２は回転清掃体２０１を駆動するための電動機、２０３は回路基板、２０４は駆動ベルト、２２０は電動送風機であり、この電動送風機は、送風機２０６と該送風機２０６を駆動する電動機２０５から構成されている。２０７は吸口体１０６から脱着可能な集塵室、２０８はフィルタである。ここで、塵埃を含んだ空気は、ブラシ室２２２から集塵室２０７に流入し、該集塵室２０７内で塵挨と空気に分離される。
【００５４】
本実施形態では、上記第１４図に示すように、吸口体１０６内に電動送風機２２０が配置されている。電動送風機２２０は、被掃除面に対面する開口部２２１の長手方向に対し、前記電動送風機２２０の回転軸２２３が平行になるように配置され、そして、前記集塵室２０７から前記電動送風機２２０に連通する空気通路２２４を設けている。なお、本実施形態では、空気通路２２４の入口の中心２２４ａを、前記開口部２２１の長手方向に平行な集塵室の中心軸２０７ａよりもブラシ室２２２側に位置するように配置したことに特徴がある。
【００５５】
本発明では、上記構成のため、空気はブラシ室２２２から集塵室２０７、フィルタ２０８、空気通路２２４の順に急転向して流れる（第１４図の矢印Ａ）。これに対して、塵挨は空気より密度が大きいため、空気のように急転向できない。したがって、前記集塵室２０７に流入した際の慣性力により、前記集塵室２０７の反ブラシ室側へ流れ（第１４図の矢印Ｂ）、前記集塵室２０７の反ブラシ室側から順に塵挨が蓄積されていく。したがって、塵挨が集塵室２０７に蓄積されていく際に、前記電動送風機２２０に連通する空気通路２２４を、塵挨の目詰まりによる通風抵抗の増加から防止することができる。また、塵挨によるフィルタの目詰まりを防止することができる。さらに、空気通路２２４の入口の中心２２４ａが、集塵室の中心軸２０７ａよりもブラシ室２２２側に位置することによって、塵挨の蓄積容積を大きくとることができる。
【００５６】
したがって、効果的に塵埃の蓄積ができ、もって、集塵室２０７を小型化することができる特徴がある。また、通風抵抗の増加を防止できので、集塵室２０７内に塵埃が溜まった状態でも、電動送風機２２０の風の流通が十分に確保され、もって、高集塵化が図れることになる。
【００５７】
ここで、前記集塵室２０７から前記電動送風機２２０へ連通する空気通路２２４の入口側２２４ｂを、出口側２２４ｃに比べてブラシ室２２２側に配置しても、同様に、集塵室の効率化を図ることができる。
【００５８】
さらに、前記電動送風機２２０の回転軸２２３と直行する前記集塵室２０７の入り口中心軸（２０７ｂ）に比べ、集塵室２０７の入口開口部２５３ａの中心軸（２０７ｃ）を反電動送風機側（空気通路の反入口側）にシフトして配置することによれば、塵挨が集塵室２０７に蓄積していく際に、前記電動送風機２２０に連通する空気通路２２４を塵挨の目詰まりによる通風抵抗の増加から防ぎ、あるいは、少なくとも軽減することができる。
【００５９】
なお、前記集塵室２０７は、吸口体１０６から脱着可能に構成されており、前記集塵室２０７からフィルタ２０８を取り外して、前記集塵室２０７から塵挨を容易に捨てることができる。
【００６０】
（第４の実施形態）
次に、本発明の第４の実施形態について、添付の第１５図を用いて説明する。この第１５図は、前記第１４図に示した実施形態の他の例に該当し、吸口体１０６の上ケースおよび吸口カバーを取り除いた状態における上面図である。この例では、第１５図に示すように、吸口体１０６内には、電動送風機２２０が、被掃除面に対面する開口部２２１の長手方向に対し前記電動送風機２２０の回転軸２２３が平行になるように配置されており、かつ、集塵室２０７から前記電動送風機２２３へ連通する空気通路２２４の入口側へと続くように、整流板２４０が前記集塵室内２０７へ突出させて設けられている。
【００６１】
この第４の実施形態の場合には、上記の構成のため、空気はブラシ室２２２から集塵室２０７、フィルタ２０８、空気通路２２４の順に、急転向して流れる（第１５図の矢印Ａ）のに対し、塵挨は、空気よりその密度が大きく、空気のように急転向はできず、前記集塵室２０７に流入した際の慣性力により、前記集塵室２０７の反ブラシ室側へ流れる（図の矢印Ｂ）。そして、塵挨は、前記集塵室２０７の反ブラシ室側から順に蓄積する。この際、反ブラシ側等で発生する空気の２次流により、この蓄積した塵挨が舞い上げられるが、整流板２４０により、前記空気通路２２４に流入するのを防いでいる。
【００６２】
したがって、塵壌が集塵室２０７に蓄積していく際に、前記電動送風機２２０に連通する空気通路２２４は、塵埃の目詰まりによる通風抵抗の増加を軽減することができる。その結果、小型の集塵室２０７でも効果的に塵挨を蓄積することができ、かつ通風抵抗の増加を防ぎ、あるいは、少なくとも軽減することができるので、塵挨が集塵室２０７に溜まった状態でも、電動送風機２２０による風量が十分に確保されることとなり、高集塵化を図ることが可能になる。
【００６３】
なお、フィルタ２０８を、空気通路２２４の入口側を前記集塵室２０７内へ突出させたものに配置しても良い。さらに、前記電動送風機２２０の回転軸２２３と直行する前記集塵室２０７の中心軸に比べ、集塵室２０７の入口開口部２５３ａを反電動送風機側に配置することによれば、塵挨が集塵室２０７に蓄積していく際に、前記電動送風機２２０に連通する空気通路２２４を、塵挨の目詰まりによる通風抵抗の増加から防ぎ、あるいは、少なくとも軽減することができる。
【００６４】
なお、前記集塵室２０７は、吸口体１０６から脱着可能に構成されており、そのため、前記集塵室２０７からフィルタ２０８を取り外して、前記集塵室２０７から塵埃を容易に捨てることができる。
【００６５】
また、第１６図（Ａ）及び（Ｂ）には、前記整流板２４０の取り付け構造の変形例を示す。
【００６６】
まず、第１６図（Ａ）は、整流板２４０を、空気通路２２４を延長した形で取り付けた場合（ｂ１＝ｂ２）の構造を示している。この整流板は、別体に作成して取り付けてもよく、その場合、空気流路と一体に形成することもできる。また、第１６図（Ｂ）の場合は、上記第１５図に示した場合の変形例であって、整流板を直角に集塵室内に突出している長さを、ｂ１＞ｂ２にしたことに特徴がある。なお、この場合には、上記第１５図における空気の流れＡに対して、なるべく抵抗を小さくする構成となっている。また、反吸口部の集塵部からの塵挨が空気通路に流入する側では、その抵抗を大きくしている。これによって、空気抵抗を低減し、塵挨に対する空気流路への流入抵抗を大きくすることができる。なお、第１６図（Ａ）においても、ｂ１＞ｂ２とすることによって、上記第１６図（Ｂ）の場合と同様の効果が期待できる。
【００６７】
（第５の実施形態）
次に、本発明の第５の実施形態について説明する。第１７図（Ａ）及び（Ｂ）は、吸口体１０６内に備えた集塵室２０７の構造を示す図である。第１７図（Ａ）において、前記集塵室２０７のブラシ室２２２側の壁２５１と、当該壁と対向する壁２５２に、それぞれ、入口開口部２５３ａ、出口開口部２５３ｂを設け、前記ブラシ室２２２側に設けた入口開口部２５３ａを、この入口開口部２５３ａに対向する出口開口部２５３ｂに比べ床面側に設けている。第１７図（Ａ）では、Ｃの距離とＤの距離を比べた場合、Ｃの方が小さく（Ｃ＜Ｄ）なっている。
【００６８】
本発明によれば、上記構成のため、吸口体１０６側を掃除機本体１０１側から切り離して独立して使用した場合、吸口体１０６に設けた電動送風機２２０は、小型かつ充電可能な電池１０７により駆動されるので、大きな風量や静圧を出すことができない。そこで、第１７図（Ａ）のように、前記ブラシ室２２２側に設けた入口開口部２５３ａは、床面から近い距離に配置することで、低風量時でも床面から吸い上げた塵挨を前記集塵室２０７へと搬送させることができる。
【００６９】
また、第１７図（Ｂ）のように、ブラシ室２２２側に設けた入口開口部２５３ａを、この入口開口部２５３ａに対向する出口開口部２５３ｂに比べて、床面側から離れた位置に設けることもできる（Ｃ＞Ｄ）。この場合、入口開口部２５３ａが床面から離れた位置にあるので、集塵室２０７内に集塵したゴミが入口開口部２５３ａからこぼれ落ちるのを防止できる。
【００７０】
そして、吸口体１０６側を掃除機本体１０１側に接続して使用する場合は、前記掃除機本体１０１に設けた電動送風機１１２は、商用の交流電源を用いて駆動させることができるので、高風量、高圧力化を図ることができる。このため、吸口体１０６を掃除機本体１０１に接続して使用する場合、入口開口部２５３ａに対抗する出口開口部２５３ｂを、吸口体１０１側の集塵室２０７と掃除機本体側の集塵室１１１との両者が塵挨を搬送可能な空気通路（即ち、延長管１０５、ホース体１０２）側に設けることによれば、前記吸口体１０６側の集塵室２０７に堆積した塵挨を、掃除機本体１０１側の集塵室１１１まで、搬送することができる。特に、本実施形態では、第１７図（Ａ）及び（Ｂ）に示すように、入口開口部２５３ａ及び出口開口部２５３ｂの床面からの高さをそれぞれずらした位置に設けている。これにより、集塵室２０７内での気流が乱れ、集塵室２０７内で集塵されたゴミが舞い上がり、集塵室２０７内のゴミが掃除機本体側へ搬送しやすくできる。
【００７１】
なお、前記集塵室２０７のブラシ室２２２側の入口開口部２５３ａには、集塵室２０７の内側に向かって開く第１の弁体２０９ａを、他方、前記出口開口部２５３ｂには、集塵室２０７の外側に向って開く弁体２０９ｂを設けることによれば、前記集塵室２０７から塵挨がこぼれ落ち難く、かつ、吸口体１０６側を掃除機本体１０１側に接続して使用した場合に、吸口体１０６側の前記集塵室２０７から掃除機本体１０１側の集塵室１１１側へ、塵挨を搬送することができる。
【００７２】
さらに、前記電動送風機２２０の回転軸２２３と直交する前記集塵室２０７の中心軸に比べ、集塵室２０７の入口開口部２５３ａを反電動送風機側に配置することによれば、塵埃が集塵室２０７に蓄積していく際に、前記電動送風機２２０に連通する空気通路２２４を塵挨の目詰まりにより通風抵抗を増加することから防ぐことができる。
【００７３】
また、フィルタ２０８を、前記集塵室２０７の入口開口部２５３ａと出口開口部２５３ｂを結ぶ線上より前記集塵室２０７の中心側に突出しないように配置する。この結果、吸口体１０６を掃除機本体１０１に接続して使用する場合において、前記集塵室２０７の入口開口部２５３ａから流入した塵挨を、前記フィルタ２０８にからむことなく、前記掃除機本体１０１の集塵室１１１まで搬送する事ができる。
【００７４】
これらの弁体は、ゴムによるものや、プラスティックによる板ばね等の、弾性体を用いればよい。なお、前記集塵室２０７は、吸口体１０６から脱着可能に構成されており、前記集塵室２０７からフィルタ２０８を取り外して、前記集塵室２０７から塵挨を容易に捨てることができる。
【００７５】
また、この集塵室としては、第１６図（Ｃ）に示したような変形例が考えられる。即ち、入口開口部２６３ａの中心と、出口開口部２５３ｂの中心とをずらしている。そして、入口開口部２５３ａおよび２６３ｂ部には、それぞれ、Ｒ１〜Ｒ４のように曲率部分を設け、空気の流れに対する抵抗および渦流の発生を防止した構造である。
【００７６】
（第６の実施形態）
次に、添付の第１８図を参照して、本発明の第６の実施形態について説明する。
【００７７】
本実施形態では、第１８図に示すように、吸口体１０６側の電動送風機２２０の下流側に配置した排気口２５４の付近に、開閉自在な排気弁２５５を設けている。本発明になる上記の構成によれば、吸口体１０６を掃除機本体１０１から切り離して独立して使用した場合、吸口体１０６に設けた電動送風機２２０からの排気Ｅは、排気口２５４を通じて外部に排気される。
【００７８】
これに対し、吸口体１０６側を掃除機本体１０１に接続して使用する場合には、前記掃除機本体１０１に設けた電動送風機１１２によって吸引される空気Ｆにより、排気弁２５５は、完全に、又は、ほぼ閉じられる。
【００７９】
前記排気弁２５５を完全に閉じるように設ければ、前記掃除機本体１０１に設けた電動送風機１１２により生じる排気口２６４からの逆流空気Ｇによる、吸口体１０６の吸い込み口からの空気Ｆの風量の低下を防ぐことができ、吸口体１０６内を高真空に保つことができることから、高集塵化が図られる。また、前記排気口２５４からの逆流によって吸口体１０６に設けた電動送風機２２０が逆回転することによる電動機２０５の寿命の低下を防ぐことができる。
【００８０】
また、排気弁２５５をほぼ閉じるようにして、少しの空気の流れＧのみを逆流させるようにすれば、上記した前記排気口２５４からの逆流により生じる吸口体１０６に設けた電動送風機２２０の逆回転による、前記電動機２０５の寿命の低下を防ぐことができる。さらに、フィルタ２０８に絡みついた塵挨を掃除機本体１０１に設けた集塵室１１１まで搬送することができ、フィルタ２０８のセルフリフレッシュが可能となる。すなわち、交流電源により電動送風機１１２を駆動して掃除機を使用することによって、フィルタ２０８のリフレッシュすることができる。また、排気口２５４からの逆流による吸口体１０６での吸い込み口における風量の低下を小さくし、吸口体１０６内を高真空に保つことができるので、高集塵化を図ることができる。
【００８１】
以上に述べたように、本発明によれば、空気がブラシ室から集塵室、フィルタ、空気通路の順に急転向して流れるのに対し、塵挨は空気より密度が大きいことから空気のように急転向できず、すなわち、前記集塵室に流入した際の慣性力により、前記集塵室の反ブラシ室側から順に蓄積する。よって、塵挨が集塵室に蓄積していく際に、電動送風機に連通する空気通路が塵挨の目詰まりによって通風抵抗が増加することから防ぐことができる。その結果、小型の集塵室でも効果的に塵挨を蓄積でき、かつ通風抵抗の増加を防げるので、集塵室に塵挨が溜まった状態でも電動送風機の風量が確保され、高集塵化を図ることができる。
【００８２】
また、掃除機本体側の電動送風機を使用することによって、吸口体側のフィルタのリフレッシュを行うことができる効果がある。
【００８３】
（第７の実施形態）
次に、第１９図〜第２１図を用いて、本発明の第７の実施形態を説明する。
【００８４】
第１９図は、吸口体１０６の縦断面図であり、第２０図は、集塵室２０７とフィルタ２０８との外観斜視図であり、そして、第２１図は、上記集塵室２０７の縦断面図である。なお、本実施の形態では、吸口継手１０６ｂに二次電池１０７を設けている。
【００８５】
第１９図に示すように、吸口体１０６には集塵室２０７が着脱自在に設けられている。この集塵室２０７は、吸口体１０６の上方（被掃除面と反対側）に向かって、吸口体１０６から外れるように構成されている。
【００８６】
そして、この集塵室２０７には、第２０図及び第２１図に示すように、フィルタ２０８が設けられている。このフィルタ２０８は、塵挨を濾過するフィルタ部３０１と、フィルタ部３０１の外周を覆い、フィルタ２０８を集塵室２０７に装着した時に集塵室２０７との気密を保持するシール部材３０２とから構成されている。また、フィルタ部３０１は、山折り（波型）状に形成されており、集塵室２０７の外側から内側に向かって突出した山折り部３０１ａと、集塵室２０７の外側から内側に向かって凹んだ谷折り部３０１ｂとを有している。本実施形態では、山折り（波型）状のフィルタを設けることにより、フィルタの面積を大きくすることができ、これにより、フィルタが短時間で目詰まりすることから防止することができる。
【００８７】
集塵室２０７には、入口開口部２５３ａと、この入口開口部２５３ａより上方側に位置した出口開口部２５３ｂとが形成されている。これによれば、上記第８図に示した床移動式の掃除機として使用した場合には、吸込んだ塵挨が、入口開口部２５３ａから入り、集塵室２０７内を通って出口開口部２５３ｂから出て、掃除機本体１０１内の集塵室１１１に集塵される。入口開口部２５３ａには、集塵室２０７の流路上流側に位置して集塵室２０７内に設けられ、かつ、上端部が第１の固定手段３０３ａによって固定された集塵室２０７の内側に向いて開く第１の弁体２０９ａが設けられている。また、出口開口部２５３ｂには、集塵室２０７の流路下流側に位置して、集塵室２０７の外側に設けられ、かつ、上端部が第２の固定手段３０３ｂによって固定された集塵室２０７の外側に向いて開く第２の弁体２０９ｂが設けられている。
【００８８】
第１の弁体２０９ａは、スティック形の掃除機として使用した場合のような弱い吸込力でも集塵室２０７の内側に向けて容易に開くように、薄くしかも剛性が比較的弱いゴム等の部材で形成されている。さらに、第１の弁体２０９ａは、その下端部側が上端部側よりも集塵室２０７の内側に位置するよう、垂線に対して傾斜して配設されている。これは、第１の弁体２０９ａが長い間使用されることにより、集塵室２０７側に撓むような癖が付いた場合でも、自重により第１の弁体２０９ａの下端側が集塵室２０７の外側に戻され、当接部３０３ｃと接触して集塵室２０７内の塵挨が外にこぼれ落ちることを防止するためである。
【００８９】
これに対し、第２の弁体２０９ｂは、スティック形の掃除機として使用した場合のような弱い吸込力では容易に開かぬように、第１の弁体２０９ａよりも板厚が厚く、しかも、剛性も強いゴム等の部材で形成されている。なお、第２１図には示されていないが、第１の弁体２０９ａと同様、第２の弁体２０９ｂも、垂線に対して傾斜するように配置してもよい。この場合、上端部側より下端部側が集塵室２０７の外部に位置するよう、垂線に対して傾斜して配設すると良い。
【００９０】
フィルタ２０８のフィルタ部３０１は、第２１図に示すように、山折り部３０１ａの折り線が、入口開口部２５３ａと出口開口部２５３ｂとを結ぶ流路方向と同方向になるように配設されている。これは、上記第８図に示した床移動式の掃除機として使用した場合に、集塵室２０７内に集塵された塵挨も掃除機本体１０１側に導かれるが、同時に、フィルタ２０８に付着した塵挨も除塵される。そして、この時、山折り部３０１ａの折り線が、入口開口部２５３ａと出口開口部２６３ｂとを結ぶ流路方向と同方向になるように配設されていることによれば、この折線に沿って風が流れ、フィルタ２０８に付着した塵挨もこの折り線に沿って出口開口部２５３ｂに導かれ、これにより、フィルタ２０８の除塵性能を向上することが出来ることによる。
【００９１】
集塵室２０７内の流路方向と山折り部３０１ａの折り線方向とは、略平行となるように配設することが望ましいが、これに限定されるものではない。例えば、上記第２１図にも示すように、出口開口部２５３ｂが入口開口部２５３ａよりも上方に位置してもよい。
【００９２】
ここで、入口開口部２６３ａの中心と出口開口部２５３ｂの中心とを中心線３０４で結ぶ。この中心線３０４は、入口開口部２５３ａから流入した空気が、この中心線３０４の方向に沿って出口開口部２５３ｂ側に流れることを意味するものである。そして、この中心線３０４と山折り部３０１ａの折り線とが成す角度をαとする。この角度αは０°、すなわち、平行であることが最良の条件であるが、しかしながら、これのみに限定されず、例えば、空気の流れが大きく乱れない±４５°の範囲で任意に設定しても良い。なお、本実施形態では、山折り部３０１ａの折り線について説明したが、谷折り部３０１ｂの折り線についても同様であることは言うまでもない。また、山折り部３０１ａ及び谷折り部３０１ｂの折り線は必ず一直線でなければならないものではなく、多少のゆがみがあっても構わない。さらに、本実施の形態では、山折り部３０１ａ及び谷折り部３０１ｂの折り線方向を被掃除面に対して略平行方向に配置したが、これに限定されるものではなく、例えば、入口開口部２５３ａと出口開口部２５３ｂとの関係を考慮し、任意に設定すれば良い。
【００９３】
さらにまた、上記第４の実施形態でも説明したように、床移動式の掃除機として使用した場合に、フィルタ２０８に対して空気が逆流するようにすると、さらにフィルタ２０８の除塵が効率良く行える。
【００９４】
本実施形態では、集塵室２０７内における流路方向とフィルタ２０８の折り線とが同方向になるようにしたので、フィルタ２０８の除塵性能を向上することができる。
【００９５】
以上に説明したように、本発明の各実施形態においては、掃除機本体１０１側の電動送風機１１２を交流電源で駆動するようにしたが、掃除機本体１０１内に充電式の二次電池を内蔵し、この二次電池を電源として直流電源で電動送風機１１２を駆動するようにしても良い。また、本発明の各実施形態においては、手元スイッチ１０４からの操作情報を、無線信号発信部１０８から無線信号により掃除機本体１０１側の無線信号受信部１０９に送信するようにしているが、これに限らず、手元操作部１０３と掃除機本体１０１とを接続するホース１０２内に信号線（電源線）を設けるようにし、もって、手元操作部１０３と掃除機本体１０１とを電気的に接続するようにしても良い。
【００９６】
また、本発明になる掃除機によれば、使用者の用途に合わせて、異なる掃除方法を提供することができ、その使い勝手が向上するという効果がある。また、吸口体側の集塵室のゴミを掃除機本体側に吸引できるので、ゴミ捨ての回数が低減できるという効果もある。
【００９７】
さらに、本発明によれば、吸口体内に配設された電動送風機と集塵室とを有し、前記集塵室と前記電動送風機の間に山折り状にしたフィルタを配設したので、フィルタの有効面積が増え、かつ、フィルタが短時間で目詰まりするのを防止することができる。
【００９８】
加えて、本発明によれば、集塵室内における流路方向とフィルタの折り線とを同方向になるようにしたことにより、フィルタの除塵性能を向上することができる。
【図面の簡単な説明】
【００９９】
【図１】  第１図は、本発明の第１の実施形態に係る電気掃除機の全体外観を示す斜視図である。
【図２】  第２図は、上記本発明の第１の実施形態に係る掃除機の吸口体の、上ケースおよび吸口カバーを外した上面図である。
【図３】  第３図は、上記本発明の第１の実施形態に係る電気掃除機の、コードレス時の使用形態を示す外観斜視図である。
【図４】  第４図は、上記本発明の第１の実施形態に係る電気掃除機の、収納時の形態を示す外観図である。
【図５】  第５図は、上記本発明の第１の実施形態に係る掃除機の本体制御回路のブロック図である。
【図６】  第６図は、上記本発明の第１の実施形態に係る掃除機のハンドル部制御回路のブロック図である。
【図７】  第７図は、上記本発明の第１の実施形態に係る掃除機の吸口体制御回路のブロック図である。
【図８】  第８図は、本発明の第２の実施形態に係る電気掃除機の全体外観を示す斜視図である。
【図９】  第９図は、上記本発明の第２の実施形態に係る掃除機の吸口体の、上ケースおよび吸口カバーを外した上面図である。
【図１０】  第１０図は、上記本発明の第２の実施形態に係る掃除機の延長管の断面図である。
【図１１】  第１１図は、上記本発明の第２の実施形態に係る掃除機の本体制御回路のブロック図である。
【図１２】  第１２図は、上記本発明の第２の実施形態に係る掃除機の吸口体制御回路のブロック図である。
【図１３】  第１３図は、上記本発明の第２の実施形態に係る掃除機のハンドル部制御回路のブロック図である。
【図１４】  第１４図は、本発明の第３の実施形態に係る掃除機の吸口体の、上ケースおよび吸口カバーを外した上面図である。
【図１５】  第１５図は、本発明の第４の実施形態に係る掃除機の吸口体の、上ケースおよび吸口カバーを外した上面図である。
【図１６】  第１６図は、上記本発明の第４の実施形態に係る掃除機における吸口体の整流板や集塵室の変形例を示す一部拡大図である。
【図１７】  第１７図は、本発明の第５の実施形態に係る吸口体に備えた集塵室の構造例を示す図である。
【図１８】  第１８図は、上記本発明の第６の実施形態に係る吸口体の、上ケースおよび吸口カバーを外した上面図である。
【図１９】  第１９図は、本発明の第７の実施形態に係る吸口体の縦断面図である。
【図２０】  第２０図は、上記本発明の第７の実施形態に係る集塵室とフィルタの外観斜視図である。
【図２１】  第２１図は、上記本発明の第７の実施形態に係る集塵室の縦断面図である。
【図１】
0004205954.tif 000002
【図２】
0004205954.tif 000003
【図３】
0004205954.tif 000004
【図４】
0004205954.tif 000005
【図５】
0004205954.tif 000006
【図６】
0004205954.tif 000007
【図７】
0004205954.tif 000008
【図８】
0004205954.tif 000009
【図９】
0004205954.tif 000010
【図１０】
0004205954.tif 000011
【図１１】
0004205954.tif 000012
【図１２】
0004205954.tif 000013
【図１３】
0004205954.tif 000014
【図１４】
0004205954.tif 000015
【図１５】
0004205954.tif 000016
【図１６】
0004205954.tif 000017
【図１７】
0004205954.tif 000018
【図１８】
0004205954.tif 000019
【図１９】
0004205954.tif 000020
【図２０】
0004205954.tif 000021
【図２１】
0004205954.tif 000022